(57)【要約】【課題】  簡便安価でありメンテナンスの必要もない回転式ケーシング押し込み装置の回転、揺動反力取り装置兼コンクリートミキサー車登坂台を提供する。【解決手段】  回転式ケーシング押し込み装置の基台ビーム１ａに着脱自在に取付けられる掘削機のクローラ用踏み板２ｃ，２ｃであり、前記踏み板の側方に必要登坂高さと登坂角度に合わせた裏板傾斜支持構造体２ｂ，２ｂをそして、または前方に必要登坂高さに合わせた裏板傾斜支持構造体２ｂ，２ｂを有してなることを特徴とする。【選択図】  図１
2005076433.tif 000002
【特許請求の範囲】
【請求項１】
鋼管ケーシングを把持しこれを回転揺動させつつ地中に圧入する回転式ケーシング押し込み装置において、該装置の基台に着脱自在に取付けられる掘削機のクローラ用踏み板であり、前記踏み板の側方に必要登坂高さと登坂角度に合わせた裏板傾斜支持構造体をそして、または、前方に必要登坂高さに合わせた裏板傾斜支持構造体を有してなることを特徴とする回転ケーシング押し込み装置の回転、揺動反力取り装置兼コンクリートミキサー車登坂台。
【発明の詳細な説明】
【技術分野】
【０００１】  本発明は大口径鋼管を圧入するための回転式ケーシング押し込み装置に付属する回転、揺動反力取り装置兼ミキサー車用登坂架台に関するものである。
【背景技術】
【０００２】  従来、定置式の回転式ケーシング押し込み装置で鋼管を圧入する場合、回転、揺動反力取り装置には圧入鋼管の内部を掘削するパワーショベル等の掘削機が併用されるが、そのパワーショベルのクローラを回転式ケーシング押し込み装置の基台に着脱自在に取付けた踏み板に乗せ、前記掘削機をカウンターウェイトとしたものがある（特許文献１参照）。【０００３】  また、圧入鋼管が大口径になるに従い定置回転式ケーシング押し込み装置も大型化し、その高さも高くなり、鋼管圧入後のコンクリート投入の際、ミキサー車のコンクリート吐出口が定置回転式ケーシング押し込み装置の上部に届かなくなるようになってきた。そのためコンクリート投入のためミキサー車用の登坂架台を用いるようになった。これに対し、基礎杭施工用定置回転式押し込み装置の付属装置として、回転、揺動反力取りとミキサー車用登坂架台の機能を併せ持つものが提案されている（特許文献２参照）。
【特許文献１】      特開平８−２８１７２
【特許文献２】      特公平７−６１９４
【発明の開示】
【発明が解決しようとする課題】
【０００４】  しかるに、特許文献２の提案装置では、踏み板を兼ねた架台を、架台に内蔵された油圧シリンダにて傾斜させる方式であり、その構造が複雑であり、メンテナンスが必要となると共に高価であるという問題点があった。【０００５】  本発明は、簡便安価でありメンテナンスの必要もない回転式ケーシング押し込み装置の回転、揺動反力取り装置兼コンクリートミキサー車登坂台を提供することを課題としてなされたものである。
【課題を解決しようとする手段】
【０００６】  上記課題を解決する手段として本発明は、回転式ケーシング押し込み装置の基台に着脱自在に取付けられる掘削機のクローラ用踏み板であり、前記踏み板の側方に必要登坂高さと登坂角度に合わせた裏板傾斜支持構造体をそして、または前方に必要登坂高さに合わせた裏板傾斜支持構造体を有してなることを特徴とする回転式ケーシング押し込み装置の回転、揺動反力取り装置兼コンクリートミキサー車登坂台にある。
【０００７】  こうしたことにより、大口径鋼管ケーシングを回転圧入している時には、ケーシング内部を掘削する掘削機のクローラを回転式ケーシング押し込み装置の基台に取付けた踏み板にカウンターウェイトとして乗せることにより、回転式ケーシング押し込み装置の回転、揺動反力取り装置として働かせることができる。
【０００８】  また、上記踏み板を裏返すことで、斜面が構成され、コンクリートミキサー車の登坂架台としても使用可能となる。
【発明の効果】
【０００９】  本発明によれば、ケーシング回転圧入中は、回転、揺動反力取り装置として使用し、コンクリート打設時には裏返すことにより斜面が構成されコンクリートミキサー車の進入登坂架台としても使用可能となり、専用架台が不要、簡便安価、メンテナンス不要という効果を奏することができる。
【発明を実施するための最良の形態】
【００１０】  以下、本発明を図面に示す実施の形態を参照して説明する。【００１１】  図１は本発明を実施するに用いる登坂架台兼回転、揺動反力取り装置の一実施形態を示すもので、回転式ケーシング押し込み装置１に反力取り装置として踏み板２ｃ，２ｃを取付けた状態を示す平面図及び本発明の装置２の斜視図であり、図２は前記踏み板２ｃ，２ｃにカウンターウェイトとしてショベル掘削機４のクローラ４ａ，４ａを乗せた状態を示す側面図であり、図３は前記踏み板２ｃ，２ｃを裏返して回転式ケーシング押し込み装置１にミキサー車５の登坂架台２ｄ，２ｄとして取付け、コンクリートミキサー車５が登坂した状態を示す側面図である。【００１２】  この踏み板２ｃ，２ｃの前方に該踏み板２ｃ，２ｃを裏返した際、コンクリートミキサー車５の登坂架台２ｄになるよう傾斜支持構造体２ｂ，２ｂが設けられており、該支持構造体２ｂ，２ｂの中央部に水平に回転式ケーシング押し込み装置１の基台ビーム連結板１ａとの連結板２ａ，２ａが取付けられている。【００１３】  一方、回転式ケーシング押し込み装置１の基台ビーム連結板１ａには、踏み板２ｃ，２ｃの連結板２ａ，２ａを挟み込むように設定した上下２段の連結板１ａが取付けられている。そして各々の連結板１ａ，２ａ，２ａには連結ピン３，３・・を挿入して、お互いを連結固定するためのピン穴１ｅ，１ｅ‥，２ｅ，２ｅ‥が設けられている。【００１４】  またこの裏板傾斜支持構造体２ｂ，２ｂ部の高さは、コンクリートミキサー車５が登坂し、回転式ケーシング押し込み装置１上部からコンクリートの注入が容易に行える高さに設定されている。【００１５】  加えて、踏み板２ｃ，２ｃを裏返して使用するときの安定性（コンクリートミキサー車５の重量による沈み込みや片側沈みによる横傾斜防止）向上を図るため、この裏板傾斜支持構造体２ｂ，２ｂの上部には荷重分散板２ｇ，２ｇが地面と水平になるよう取付けられている。この荷重分散板２ｇ，２ｇには連結ピン３，３を回転式ケーシング押し込み装置１の基台ビーム連結板１ａのピンＢ穴１ｆ，１ｆに挿入したとき、連結ピン３，３の先端が荷重分散板２ｇ，２ｇのピンＢ穴２ｆ，２ｆに嵌ってお互いを連結固定するように構成されている。【００１６】  更に、この踏み板２ｃ，２ｃにはアンカー打込み用の穴２ｈ，２ｈが２ヶ所設けてあり、両側方に吊りフック用ピン２ｉ，２ｉが装備されている。
【実施例】
【００１７】  先ず、大口径鋼管ケーシングの回転圧入時には図２の状態で、回転式ケーシング押し込み装置１の上下２段の基台ビーム連結板１ａ間に左右２箇の踏み板連結板２ａ，２ａを差し込み、連結用ピン穴１ｅ，１ｅ‥，２ｅ，２ｅ‥にピン３，３，‥挿入し両者を連結固定する。そして、踏み板２ｃ，２ｃのアンカー打込み用の穴２ｈ，２ｈ‥・にアンカー２ｊ，２ｊを打込み、その後踏み板２ｃ，２ｃ上にショベル掘削機のクローラ４ａ，４ａを乗せ、大口径鋼管ケーシングの回転圧入を行う。【００１８】  こうすることにより、ショベル掘削機の重量がカウンターウェイトとなり、またアンカー２ｊ，２ｊの効果も相俟って、回転式ケーシング押し込み装置１が受ける反力を必要に応じて支えることができる。【００１９】  次に、大口径鋼管ケーシングの回転圧入が終了し、コンクリート注入の際には、ショベル掘削機４のクローラ４ａ，４ａを退避させアンカー２ｊ，２ｊを抜き取った後，図３のように踏み板２ｃ，２ｃを裏返して連結用ピン穴１ｆ，１ｆ，２ｆ，２ｆにピン３，３を挿入し両者を連結固定する。その後，踏み板２ｃ，２ｃの裏面を登坂架台２ｇ，２ｇとしてコンクリートミキサー車５を登坂させ、回転圧入したケーシング内へコンクリートの注入を行う。【００２０】  このとき、荷重分散板２ｇ，２ｇが地面と水平になるよう取付けられているので、コンクリートミキサー車５の重量による沈み込みや方側沈みによる横傾斜を防止できる。
【図面の簡単な説明】
【００２１】
【図１】本発明の一実施形態を示す登坂架台兼回転、揺動反力取り装置の平面図及びその斜視図。
【図２】上記装置を反力取り装置として使用中の側面図。
【図３】上記装置を登坂架台として使用中の側面図。
【符号の説明】
【００２２】１    回転式ケーシング押し込み装置
１ａ  基台ビーム連結板
１ｅ  ピンＡ穴
１ｆ  ピンＢ穴
２    揺動反力取り装置兼登坂台
２ａ  連結板
２ｂ  支持構造体
２ｃ  踏み板
２ｄ  登坂架台
２ｅ  ピンＡ穴
２ｆ  ピンＢ穴
２ｇ  荷重分散板
２ｈ  アンカー用穴
２ｉ  吊りフック用ピン
２ｊ  アンカー
３    連結ピン
４    ショベル掘削機
４ａ  クローラ
５    コンクリートミキサー車
５ａ  コンクリート注入口
【図１】
2005076433.tif 000003
【図２】
2005076433.tif 000004
【図３】
2005076433.tif 000005